(57)【要約】【目的】  開口部を充分大きく取ることができ、小銭入れの収納部内で硬貨をより分けて必要な金額を金種別に選別できるとともに、硬貨の落下を防止でき、且つ、紙幣やカードの取出しが容易で、それらが抜け落ちることのない財布の実現を目的とする。【構成】  長手方向に開口部を有する複数の収納部が、それぞれ、小銭入れ収納部と、札入れ収納部と、カード収納部とを構成する財布であって、小銭入れ収納部は、１対の小銭入れ仕切り片と、この小銭入れ仕切り片を結んで両側に設けられた小銭入れまち部と、それぞれの小銭入れ仕切り片の内側に小銭入れ開口部周縁に沿って設けられた折返し部と、小銭入れまち部及び折返し部を含めて小銭入れ収納部全体を開閉する開閉ラウンドファスナーとを備えて構成される。【選択図】  図１
0003135251.tif 000002
【実用新案登録請求の範囲】
【請求項１】
長手方向に開口部を有する複数の収納部が、それぞれ、小銭入れ収納部と、札入れ収納部と、カード収納部とを構成する財布であって、
その複数の収納部が重なって構成される本体部の外周部の延長が前記開口部を覆う蓋部を構成し、前記蓋部の一端と対応する前記本体部に前記蓋部を固着可能な固定手段が設けられていることを特徴とする財布。
【請求項２】
前記小銭入れ収納部は、１対の小銭入れ仕切り片と、この小銭入れ仕切り片を結んで両側に設けられた小銭入れまち部と、それぞれの前記小銭入れ仕切り片の内側に小銭入れ開口部周縁に沿って設けられた折返し部と、前記小銭入れまち部及び前記折返し部を含めて前記小銭入れ収納部全体を開閉する開閉ラウンドファスナーとを備えて構成されることを特徴とする請求項１に記載の財布。
【請求項３】
前記小銭入れまち部は、前記開閉ラウンドファスナーを開いたとき前記小銭入れ収納部が９０度近くまで開くように前記小銭入れ開口部に向けて上部側が広く下部側が狭く扇状に、且つ、前記開閉ラウンドファスナーを閉じたときに前記小銭入れ収納部内部に折畳み可能に構成されていることを特徴とする請求項２に記載の財布。
【請求項４】
前記折返し部は、前記小銭入れ開口部の収納部内部側に沿って両側の前記まち部の間全体に設けられ、前記小銭入れ開口部側に閉じ前記小銭入れ収納部側に開いた溝を形成することを特徴とする請求項２または３に記載の財布。
【請求項５】
前記札入れ収納部は、１対の札入れ仕切り片と、この札入れ仕切り片の両側に設けられた札入れまち部と、札入れ中仕切り布とを備えて構成されることを特徴とする請求項１乃至４のいずれか１項に記載の財布。
【請求項６】
前記カード収納部は、複数のカード部仕切り片と、このカード部仕切り片の間に設けられたカード部中仕切り布とを有し、前記カード部中仕切り布を複数個所で両側の前記カード部仕切り片に固着することで前記カード収納部開口部に向けて前記カード収納部を複数に分割した収納空間を構成することを特徴とする請求項１乃至５のいずれか１項に記載の財布。
【考案の詳細な説明】
【技術分野】
【０００１】
本考案は、財布に関し、特に札入れとカード収納部と小銭入れとを備えた財布に関する。
【背景技術】
【０００２】
従来から、札入れとカード収納部と小銭入れとを一体に備えた財布が実用されている。
例えば、長手方向に２つ折り可能に形成された札入れにおいて、その長手方向全長に渡って札入れ部と仕切りで仕切られた収納空間を形成し、この二つ折りにされる収納空間の一方側に小銭入れ部を設け、他方側にカード入れ部を設け、小銭入れ部とカード入れ部の厚みを同等にし、結果的に札入れの厚みを薄くするようにした例（特許文献１参照）や、二つ折りされる財布の折り目を境にした財布内面の両側に、それぞれ一つの小銭入れを互いに財布内面の端寄りに位置させて設け、財布を二つ折りした状態で二つの小銭入れが左右に隣り合うようにして、二つの小銭入れを合理的に離して設け、使い勝手がよく、嵩張りを少なくした例（特許文献２参照）などが報告されている。
【０００３】
しかし、このような財布における小銭入れは、その開口部の広さがどうしても制限されるため、小銭の取出しが難しいという問題があった。
この問題を解決するため、長手方向に二つ折りにされる横開き型の財布において、収納部の一つに開口部周縁から前記収納部内方に延出する逆止片を設け、この逆止片を設けた収納部を小銭入れとすることで、開口部を大きくするとともに、財布を折り曲げたとき、逆止片が開口部を閉じるようにして開口部からの小銭の落下を防止した例が報告されている（特許文献３参照）。
【０００４】
【特許文献１】特開２０００−３０８５１０
【特許文献２】特開２００３−１６９７０８
【特許文献３】特開２００３−４７５１４
【考案の開示】
【考案が解決しようとする課題】
【０００５】
以上に述べたように、従来の札入れとカード収納部と小銭入れとを一体に備えた財布では、どうしても小銭入れの開口が小さくなって小銭の出し入れが困難であった。この問題を改良した特許文献３に示された例においても、開口部は確かに大きくなったものの、収納部内に混在する複数の硬貨から必要金額を取り出すためには、適当に多くの硬貨を取り出して、手のひらやテーブルの上で金種別により分けて必要な金額とするのが一般的な方法であった。
本発明は、この問題を解決して、開口部を充分大きく取ることができ、小銭入れの収納部内で硬貨をより分けて必要な金額を金種別に選別できるとともに、硬貨の落下を防止でき、且つ、紙幣やカードの取出しが容易で、それらが抜け落ちることのない財布の実現を課題とする。
【課題を解決するための手段】
【０００６】
上記課題を解決するため、本発明の財布は、長手方向に開口部を有する複数の収納部が、それぞれ、小銭入れ収納部と、札入れ収納部と、カード収納部とを構成する財布であって、  その複数の収納部が重なって構成される本体部の外周部の延長が前記開口部を覆う蓋部を構成し、前記蓋部の一端と対応する前記本体部に前記蓋部を固着可能な固定手段が設けられていることを特徴とする。
【０００７】
ここで、前記小銭入れ収納部は、１対の小銭入れ仕切り片と、この小銭入れ仕切り片を結んで両側に設けられた小銭入れまち部と、それぞれの前記小銭入れ仕切り片の内側に小銭入れ開口部周縁に沿って設けられた折返し部と、前記小銭入れまち部及び前記折返し部を含めて前記小銭入れ収納部全体を開閉する開閉ラウンドファスナーとを備えて構成されることを特徴とする。
【０００８】
また、前記小銭入れまち部は、前記開閉ラウンドファスナーを開いたとき前記小銭入れ収納部が９０度近くまで開くように前記小銭入れ開口部に向けて上部側が広く下部側が狭く扇状に、且つ、前記開閉ラウンドファスナーを閉じたときに前記小銭入れ収納部内部に折畳み可能に構成されていることを特徴とする。
【０００９】
さらに、前記折返し部は、前記小銭入れ開口部の収納部内部側に沿って両側の前記まち部の間全体に設けられ、前記小銭入れ開口部側に閉じ前記小銭入れ収納部側に開いた溝を形成することを特徴とする。
【００１０】
また、前記札入れ収納部は、１対の札入れ仕切り片と、この札入れ仕切り片の両側に設けられた札入れまち部と、札入れ中仕切り布とを備えて構成されることを特徴とする。
【００１１】
さらに、前記カード収納部は、複数のカード部仕切り片と、このカード部仕切り片の間に設けられたカード部中仕切り布とを有し、前記カード部中仕切り布を複数個所で両側の前記カード部仕切り片に固着することで前記カード収納部開口部に向けて前記カード収納部を複数に分割した収納空間を構成することを特徴とする。
【考案の効果】
【００１２】
本発明の財布は以上のように構成されているので、簡単で比較的かさばらない構成で紙幣、カード、硬貨を区別して収納することができ、その取出しが容易で、ことに硬貨を小銭入れ収納部の内部でより分けて必要な金額を金種別に選別して取り出せるとともに、硬貨が財布から落下するのを防ぐことが可能な財布を実現することができる。
【考案を実施するための最良の形態】
【００１３】
以下、本考案を図面に沿って詳細に説明する。
図１は、本考案の財布の一実施形態の閉じた状態での外観図、図２は、この実施形態の蓋部２を開き小銭入れ収納部３を開いた状態での平面図、図３は、この実施形態の小銭入れ収納部３を閉じ札入れ収納部４とカード収納部５を示した平面図である。また、図４は、小銭入れ収納部３の側面図、図５は小銭入れ収納部３の側面断面図である。
【００１４】
図１乃至図３に示すように、本考案の財布１０は、複数の収納部３〜５が重なって構成される本体部１と、本体部１外側部の延長で本体部１を巻きまわして閉じる蓋部２とを有し、蓋部２の一端と対応する本体部１とに蓋部２を固着可能な固定手段が設けられ財布１０を閉じるようになっている。図１では、固定手段をとめ片１１とホック１２とで構成しているが、固定手段としてホックを本体部１とに蓋部２に直接設けても良いし、留め金やマジックテープ（登録商標）など従来からあるものを適宜用いても良い。
【００１５】
図２に示すように、小銭入れ収納部３は、１対の小銭入れ仕切り片３１の間に構成され、この１対の小銭入れ仕切り片３１を結んでその両側に設けられた小銭入れまち部３２と、小銭入れ仕切り片３１の内側の小銭入れ開口部に沿って両側の小銭入れまち部３２相互間に設けられた折り返し部３３と、小銭入れまち部３２と折り返し部３３を含めて小銭入れ収納部３全体を開閉する開閉ラウンドファスナー３４を備えている。
【００１６】
図２及び図４に示すように、小銭入れまち部３２は開閉ラウンドファスナー３４を開いたとき、小銭入れ収納部３の１対の小銭入れ仕切り片３１が９０度近くまで開くように、小銭入れ開口部に向けて上側が広く下側が狭い扇状に形成されている。また、開閉ラウンドファスナー３４を閉じた時に内部に畳込まれるように複数の折り目が設けられている。
【００１７】
図２及び図５に示すように、折り返し部３３は小銭入れ仕切り片３１の内側の小銭入れ開口部の近傍に開口部に沿って小銭入れまち部３２の間の全域に亙って設けられている。
この折り返し部３３は、開口部側で閉じ小銭入れ収納部３の内部側に開くように折り返されて溝を構成しているので、硬貨が小銭入れ収納部３から滑り落ちるのを防ぐ返り止めとして働く。
【００１８】
小銭入れ収納部３は、以上のように構成されているので、開閉ラウンドファスナー３４を開いたとき、大きく開口部を開くことができ、小銭入れ収納部３の内部で必要な金額の硬貨を財布から落とすおそれなく選別することができる。
なお、図１乃至図３に示した実施形態では、小銭入れ仕切り片３１の一方は本体部１の外側部と、他方は後述する札入れ仕切り片４１と一体に構成されている。
【００１９】
札入れ収納部４は、１対の札入れ仕切り片４１と、この札入れ仕切り片４１の両側に設けられた札入れまち部４２と、札入れ収納部４の内部を区切る札入れ中仕切り布４３とで構成されている。
札入れまち部４２を設けているため札入れの開口部が開きやすく紙幣の取出しが容易であり、内部に札入れ中仕切り布４３を設けて収納部分を区切ってあるため、紙幣を区別して収納することができる。
【００２０】
カード収納部５は、複数のカード部仕切り片５１とこのカード部仕切り片５１の間に設けられたカード部中仕切り布５２から構成され、このカード部中仕切り布５２をカード部仕切り片５１に複数個所で固着するようにしてカード収納部の開口部に向けて複数の収納空間を構成するようにし、カード類や名刺などを収納できるようにしている。
このような構成であるため、必要以上にかさばらず、カードや名刺などの収納物を厚みを平均化して区分して収納することができる。
図３に示す実施形態では、カード部中仕切り布５２のカード部仕切り片５１に対する固着を縫製によって行っているが、接着などによって固着することも可能である。
【００２１】
本考案は、以上の実施例で限定されるものではなく、小銭入れ収納部、札入れ収納部、カード収納部のうち、例えばカード収納部を省略することもできる。また、札入れ中仕切り布４３を省略するなど適宜変更も可能である。
【図面の簡単な説明】
【００２２】
【図１】本考案の財布の一実施形態の閉じた状態での外観図である。
【図２】図１に示す実施形態のこの実施形態の蓋部を開き小銭入れ収納部を開いた状態での平面図である。
【図３】図１に示す実施形態の小銭入れ収納部を閉じ札入れ収納部とカード収納部を示した平面図である。
【図４】図１に示す実施形態の小銭入れ収納部の側面略図である。
【図５】図１に示す実施形態の小銭入れ収納部の側面断面図である。
【符号の説明】
【００２３】
１  本体部
２  蓋部
３  小銭入れ収納部
４  札入れ収納部
５  カード収納部
３１  小銭入れ仕切り片
３２  小銭入れまち部
３３  折り返し部
３４  開閉ラウンドファスナー
４１  札入れ仕切り片
４２  札入れまち部
４３  札入れ中仕切り布
５１  カード部仕切り片
５２  カード部中仕切り布
【図１】
0003135251.tif 000003
【図２】
0003135251.tif 000004
【図３】
0003135251.tif 000005
【図４】
0003135251.tif 000006
【図５】
0003135251.tif 000007